(57)【要約】
【課題】  弱電界のテレビジョン信号を受信するときにおいても、満足する映像出力特性を得てテレビ画面に現れる映像品質を劣化させないようにする。
【解決手段】  テレビジョン信号を中間周波信号に変換するミキサ段５と、ミキサ段５の次段に設けられ、中間周波信号を通過する中間周波同調回路６ａとを備え、中間周波同調回路６ａを少なくともテレビジョン信号が弱電界のときと強電界のときとでは同調周波数が異なるように切り替え、少なくとも弱電界のときには映像中間周波数に近い方の周波数に同調させ、少なくとも強電界のときには音声中間周波数に近い方の周波数に同調させた。
【選択図】        図１
0003101450.tif 000002
【実用新案登録請求の範囲】
【請求項１】
テレビジョン信号を中間周波信号に変換するミキサ段と、前記ミキサ段の次段に設けられ、前記中間周波信号を通過する中間周波同調回路とを備え、前記中間周波同調回路を少なくとも前記テレビジョン信号が弱電界のときと強電界のときとでは同調周波数が異なるように切り替え、少なくとも弱電界のときには映像中間周波数に近い方の周波数に同調させ、少なくとも強電界のときには音声中間周波数に近い方の周波数に同調させたことを特徴とするテレビジョンチューナ。
【請求項２】
前記テレビジョン信号が少なくとも弱電界のときに前記同調周波数を高くし、少なくとも強電界のときに前記同調周波数を低くしたことを特徴とする請求項１に記載のテレビジョンチューナ。
【請求項３】
前記テレビジョン信号が弱電界のときに前記同調周波数を高くし、前記テレビジョン信号が強電界又は中電界のときに低くしたことを特徴とする請求項２に記載のテレビジョンチューナ。
【請求項４】
前記テレビジョン信号が弱電界のときに前記同調周波数を映像中間周波の近傍に位置させ、前記テレビジョン信号が強電界又は中電界のときに前記映像中間周波数と音声中間周波数とのほぼ中心の周波数に位置させたことを特徴とする請求項３に記載のテレビジョンチューナ。
【請求項５】
前記中間周波同調回路から出力される中間周波信号を増幅する中間周波増幅器と、前記中間周波増幅器から出力される中間周波信号によって制御されるスイッチング手段とを設け、前記中間周波同調回路には同調周波数を変えるためのバラクタダイオードを設けると共に、前記バラクタダイオードに印加する電圧を前記スイッチング手段によって切り替えたことを特徴とする請求項４に記載のテレビジョンチューナ。
【考案の詳細な説明】
【技術分野】
【０００１】
本考案は、テレビジョンチューナに関する。
【背景技術】
【０００２】
従来のテレビジョンチューナは図６に示されるように、アンテナ４０で受信されたテレビジョン信号は、アンテナ同調段（ＡＮＴ同調）４１でプリセレクトされて高周波増幅段（ＲＦ  ＡＭＰ）４２で増幅され、次段の高周波同調段（ＲＦ同調）４３でさらに不要信号が除去された後にミキサ段（ＭＩＸ）４４に入力される。ミキサ段４４では局部発振信号と混合されて中間周波信号に周波数変換される。中間周波信号はミキサ段から平衡出力される。ミキサ段４４の次段に設けられた中間周波結合回路（ＩＦ結合）４５は平衡入力端と平衡出力端とを有する平衡回路で構成される。
【０００３】
平衡入力端間に接続された中間周波同調回路４５ａは、直列接続されたインダクタ４５２、４５３とそれらに並列接続されたコンデンサ４５１とからなり、その同調周波数は映像中間周波数（例えば、日本のテレビシステムでは５８．７５ＭＨｚ）と音声中間周波数（例えば、日本のテレビシステムでは５４．２５ＭＨｚ）とのほぼ中間の周波数（例えば、日本のテレビシステムでは５６．５ＭＨｚ）となっている。そして、電源端子４５１１に印加された電圧が二つのインダクタ４５２、４５３を介してミキサ段４４に供給される。また、一方の入力端と一方の出力端との間に接続された隣接チャンネルトラップ回路４５ｂはコンデンサ４５４とそれにコンデンサ４５６を介して並列接続されたインダクタ４５５とからなり、隣接チャンネルの映像中間周波数を減衰する。そして、他方の入力端と他方の出力端とがコンデンサ４５１２によって結合される。
【０００４】
中間周波結合回路４５に結合された中間周波増幅段（ＩＦ  ＡＭＰ）４６は平衡回路で構成されている（例えば、特許文献１参照。）。
【０００５】
【特許文献１】特開２００２−２７１２２５（図５）。
【考案の開示】
【考案が解決しようとする課題】
【０００６】
上記の同調回路は、その同調周波数が映像中間周波数と音声中間周波数とのほぼ中間の周波数となるように設定されているので、中電界あるいは強電界以上のテレビジョン信号を受信した場合はほぼ満足する映像出力特性が得られるが、弱電界のテレビジョン信号を受信すると、映像中間周波信号自体のレベルが下がりすぎて感度不足となり、テレビ画面に現れる映像の品質が急激に悪化するという問題があった。
【０００７】
そこで、本考案は弱電界のテレビジョン信号を受信するときにおいても、満足する映像出力特性を得てテレビ画面に現れる映像品質を劣化させないことを目的とする。
【課題を解決するための手段】
【０００８】
本考案は、テレビジョン信号を中間周波信号に変換するミキサ段と、前記ミキサ段の次段に設けられ、前記中間周波信号を通過する中間周波同調回路とを備え、前記中間周波同調回路を少なくとも前記テレビジョン信号が弱電界のときと強電界のときとでは同調周波数が異なるように切り替え、少なくとも弱電界のときには映像中間周波数に近い方の周波数に同調させ、少なくとも強電界のときには音声中間周波数に近い方の周波数に同調させた。
【０００９】
また、前記テレビジョン信号が少なくとも弱電界のときに前記同調周波数を高くし、少なくとも強電界のときに前記同調周波数を低くした。
【００１０】
また、前記テレビジョン信号が弱電界のときに前記同調周波数を高くし、前記テレビジョン信号が強電界又は中電界のときに低くした。
【００１１】
また、前記テレビジョン信号が弱電界のときに前記同調周波数を映像中間周波の近傍に位置させ、前記テレビジョン信号が強電界又は中電界のときに前記映像中間周波数と音声中間周波数とのほぼ中心の周波数に位置させた。
【００１２】
また、前記中間周波同調回路から出力される中間周波信号を増幅する中間周波増幅器と、前記中間周波増幅器から出力される中間周波信号によって制御されるスイッチング手段とを設け、前記中間周波同調回路には同調周波数を変えるためのバラクタダイオードを設けると共に、前記バラクタダイオードに印加する電圧を前記スイッチング手段によって切り替えた。
【考案の効果】
【００１３】
本考案においては、テレビジョン信号を中間周波信号に変換するミキサ段と、前記ミキサ段の次段に設けられ、中間周波信号を通過する中間周波同調回路とを備え、中間周波同調回路を少なくともテレビジョン信号が弱電界のときと強電界のときとでは同調周波数が異なるように切り替え、少なくとも弱電界のときには映像中間周波数に近い方の周波数に同調させ、少なくとも強電界のときには音声中間周波数に近い方の周波数に同調させたので、弱電界のときには映像中間周波信号のレベルが高くなってＳ／Ｎの良好な画像が得れる。また。強電界のときには、映像中間周波信号のレベルが過度に高くなることがないので、歪みのない良好な画像が得られる。
【００１４】
また、前記テレビジョン信号が少なくとも弱電界のときに同調周波数を高くし、少なくとも強電界のときに同調周波数を低くしたので、ＮＴＳＣ方式のテレビジョン受信機に適用して良好な画像が得られる。
【００１５】
また、テレビジョン信号が弱電界のときに同調周波数を高くし、テレビジョン信号が強電界又は中電界のときに低くしたので、弱電界から強電界までのテレビジョン信号を良好な画像で受信できる。
【００１６】
また、テレビジョン信号が弱電界のときに同調周波数を映像中間周波の近傍に位置させ、テレビジョン信号が強電界又は中電界のときに映像中間周波数と音声中間周波数とのほぼ中心の周波数に位置させたので、弱電界から強電界までのテレビジョン信号を良好な画像で受信できる。
【００１７】
また、中間周波同調回路から出力される中間周波信号を増幅する中間周波増幅器と、中間周波増幅器から出力される中間周波信号によって制御されるスイッチング手段とを設け、中間周波同調回路には同調周波数を変えるためのバラクタダイオードを設けると共に、バラクタダイオードに印加する電圧をスイッチング手段によって切り替えたので、テレビジョン信号のレベルの違いによって同調周波数を自動的に切り替えられる。
【考案を実施するための最良の形態】
【００１８】
本考案のテレビジョンチューナを図１乃至図５に従って説明する。図１は全体の回路構成を示し、アンテナ１で受信されたテレビジョン信号は、アンテナ同調段（ＡＮＴ同調）２でプリセレクトされた後、高周波増幅段（ＲＦ  ＡＭＰ）３で増幅され、次段の高周波同調段（ＲＦ同調）４でさらに不要信号が除去された後にミキサ段（ＭＩＸ）５に入力される。ミキサ段５には図示しない発振器（ＯＳＣ）から局部発振信号が入力され、テレビジョン信号はこれと混合されて中間周波信号に周波数変換される。中間周波信号はミキサ段５から平衡出力される。ミキサ段５は集積回路１０内に構成される。集積回路１０にはミキサ段５から中間周波信号を取り出すための平衡出力端子１０ａ、１０ｂと、中間周波信号を再び集積回路１０内に取り入れるための平衡入力端子１０ｃ、１０ｄとが設けられる。
【００１９】
平衡出力端子１０ａ、１０ｂと平衡入力端子１０ｃ、１０ｄとの間に設けられた中間周波結合回路（ＩＦ結合）６は平衡回路で構成される。そして、平衡出力端子１０ａと１０ｂとの間には中間周波同調回路６ａが接続され、一方の出力端子１０ａと一方の入力端子１０ｃとの間には隣接チャンネルトラップ回路６ｂがコンデンサ６ｃを介して結合される。また、他方の出力端子１０ｂと他方の入力端子１０ｄとの間はコンデンサ６ｄによって結合される。
【００２０】
中間周波同調回路６ａは、直列接続された二つのインダクタ６ａ１及び６ａ２と、直列接続されたコンデンサ６ａ３及びバラクタダイオード６ａ４とが互いに並列接続された並列同調回路から構成される。そして、電源端子Ｖｃｃに印加された電圧が二つのインダクタ６ａ１、６ａ２を介してミキサ段５に供給される。この際、バラクタダイオード６ａ４のカソードには一方のインダクタ６ａ１を介して電源端にＶｃｃの電圧が印加されるようになっている。また、バラクタダイオード６ａ４のアノードは抵抗６ｅによって他方の入力端子１０ｄに接続される。
【００２１】
隣接チャンネルトラップ回路６ｂは、インダクタ６ｂ１とコンデンサ６ｂ２との並列共振回路によって構成され、その共振周波数によって隣接チャンネルの映像中間周波数を減衰する。
【００２２】
集積回路１０内には平衡入力端子１０ｃ、１０ｄに結合された中間周波増幅器（ＩＦ  ＡＭＰ）７と、中間周波増幅器７内の増幅素子（図示せず）にバイアス電圧を供給するバイアス回路（Ｂｉａｓ回路）８とが構成される。バイアス回路８は電源電圧からバイアス電圧を作る。また、集積回路１０内には中間周波増幅器７から出力される中間周波信号によってオン／オフが制御されるスイッチング手段９が構成される。
【００２３】
スイッチング手段９は、エミッタが共に接地され、コレクタがそれぞれ抵抗９ｃ、９ｄによって電源端子Ｖｃｃにプルアップされた２個のトランジスタ９ａ、９ｂを有し、初段のトランジスタ９ａのベースには電源端子Ｖｃｃの電圧を分圧する抵抗９ｅ、９ｆによってバイアス電圧が印加される。このベースは結合コンデンサ１０ｊによって中間周波増幅器７の出力端に結合される。初段のトランジスタ９ａのコレクタと二段目のトランジスタ９ｂのベースとは互いに接続されると共に、コンデンサ９ｇを介して接地される。そして、二段目のトランジスタ９ｂのコレクタが抵抗９ｈを介して他方の入力端子１０ｄに接続されると共に、抵抗９ｉを介して接地される。
【００２４】
以上の構成のスイッチング手段９は、中間周波同調回路６ａの同調周波数をテレビジョン信号のレベルの違いによって高低二通りに切り替えるためにバラクタダイオード６ａ４のアノードの電圧を切り替える。そのために、初段のトランジスタ９ａは、中間周波増幅器７から出力される中間周波信号が少なくとも強電界以上のテレビジョン信号に基づくものである場合に、中間周波信号によってオンし、少なくとも弱電界ではオフとなるようにバイアスされている。
【００２５】
従って、テレビジョン信号が弱電界以下のレベルでは、初段のトランジスタ９ａはオフの状態になっており、二段目のトランジスタ９ｂがオンとなる。この結果、図２の等価回路に示すように、バラクタダイオード６ａ４のアノードはほぼ０ボルトとなり、その両端間の電圧は電源Ｖｃｃの電圧と等しくなる。よって、バラクタダイオード６ａ４の容量値は小さくなる。この時の中間周波同調回路６ａの同調周波数は、例えば、図３に示すように、日本のテレビシステムの映像中間周波数Ｐ（５８．７５ＭＨｚ）付近となるようにインダクタ６ａ１、６ａ２及びコンデンサ６ａ３の値によって設定される。
【００２６】
また、テレビジョン信号が強電界以上のレベルでは、初段のトランジスタ９ａはオンとなるので、二段目のトランジスタ９ｂがオフとなる。この結果、図４の等価回路に示すように、バラクタダイオード６ａ４のアノードには電源Ｖｃｃの電圧を抵抗９ｄ、９ｉによって分圧した電圧が印加される。よって、バラクタダイオード６ａ４の両端間の電圧は電源Ｖｃｃの電圧よりも低くなり、バラクタダイオード６ａ４の容量値は大きくなる。この時の中間周波同調回路６ａの同調周波数は、例えば、図４に示すように、日本のテレビシステムの映像中間周波数Ｐ（５８．７５ＭＨｚ）と音声中間周波数Ｓ（５４．２５ＭＨｚ）とのほぼ中間の周波数Ｃ（５６．５ＭＨ）付近となるようにインダクタ６ａ１、６ａ２及びコンデンサ６ａ３の値によって設定される。
【００２７】
即ち、中間周波同調回路６ａの同調周波数は、入力されるテレビジョン信号のレベルの違いによって二通りに切り替えられるが、弱電界のときは映像中間周波数に近い方の周波数に切り替えられ、強電界のときには音声中間周波数に近い方の周波数に切り替えられる。日本や米国等が採用しているＮＴＳＣ方式などでは映像中間周波数が音声中間周波数よりも高いので、同調周波数を弱電界のときに高くし、強電界のときに低くする。映像中間周波数が音声中間周波数よりも低い方式に適用させるには、同調周波数を弱電界のときに低くし、強電界のときに高くする。
【００２８】
なお、テレビジョン信号が弱電界と強電界との中間のレベル、即ち中電界のときの中間周波同調回路の同調周波数を弱電界のときと同じように映像中間周波数に近い方の周波数とするか、又は、強電界のときと同じように音声中間周波数に近い方の周波数とするかは、テレビジョン受信機の受信感度によって決められるが、一般には中電界では十分な受信感度が得られるので、強電界のときと同じように音声中間周波数に近い方の周波数とするのが得策である。
【図面の簡単な説明】
【００２９】
【図１】本考案のテレビジョンチューナの構成を示す回路図である。
【図２】本考案のテレビジョンチューナの弱電界時の等価回路図である。
【図３】本考案のテレビジョンチューナの弱電界時の中間周波同調特性図である。
【図４】本考案のテレビジョンチューナの強電界時の等価回路図である。
【図５】本考案のテレビジョンチューナの強電界時の中間周波同調特性図である。
【図６】従来のテレビジョンチューナの構成を示す回路図である。
【符号の説明】
【００３０】
１：アンテナ
２：アンテナ同調段
３：高周波増幅段
４：高周波同調段
５：ミキサ段
６：中間周波結合回路
６ａ：中間周波同調回路
６ａ１、６ａ２：インダクタ
６ａ３：コンデンサ
６ａ４：バラクタダイオード
６ｂ：隣接チャンネルトラップ回路
７：中間周波増幅器
８：バイアス回路
９：スイッチ手段
９ａ、９ｂ：トランジスタ
１０：集積回路
１０ａ、１０ｂ：平衡出力端子
１０ｃ、１０ｄ：平衡入力端子
【図１】
0003101450.tif 000003
【図２】
0003101450.tif 000004
【図３】
0003101450.tif 000005
【図４】
0003101450.tif 000006
【図５】
0003101450.tif 000007
【図６】
0003101450.tif 000008